(57)【要約】【課題】  墓所などに設けられる石製の香炉台本体に嵌装して用いる扉付の香炉箱において、ろうそくや線香をのせる台板が扉の開閉に伴って自動的に引き出されたり収納されたりする、簡単な構造の香炉箱を提供する。【解決手段】  嵌め込み装着式の香炉箱１は、両開き構造の扉４のそれぞれの下辺から箱側に延びる台板１１と、両側の台板１１上に掛け渡された上台板８と、この上台板上に配置されたろうそく立て６ないし線香立て７とを備え、上台板８は、扉４の開動作によって手前側へ引出され、閉動作によって本体内に収納される。香炉箱１を石材３０の前面に設けた凹所に嵌着して墓所などの香炉台とする。香炉箱の扉４を閉じた状態では、ろうそくや線香か香炉箱１内に収納されているが、扉４を開くと、ろうそくや線香をのせる上台板８が扉４の開動作によって自動的に手前側へ引出され、また閉動作によって自動的に香炉箱１内に収納される。【選択図】      図１
2005240539.tif 000002
【特許請求の範囲】
【請求項１】
石製の香炉台本体(30)の前面に設けた凹所ないし貫通孔に嵌装される箱(2)と、この箱に前縁に枢着された両開き構造の扉(4)とを備えた嵌め込み装着式の香炉箱において、前記扉のそれぞれの下辺から前記箱側に延びる台板(11)と、両側の台板上に掛け渡された上台板(8)と、この上台板上に配置されたろうそく立て(6)ないし線香立て(7)と、当該上台板を前記扉(4)の開動作によって手前側へ引出しかつ閉動作によって前記箱内に収納する連結部材(16,20)を備えている、香炉箱。
【請求項２】
前記上台板(8)が両側の台板(11)にそれぞれ前後方向に相対移動不能かつ左右方向に相対移動可能に載置されている、請求項１記載の香炉箱。
【請求項３】
両側の台板(11)の上面にそれぞれ植立されたガイド突起(16)と、上台板(8)の左右両側に形成された左右方向のガイド溝(20)とを備え、上台板(8)は、左右のガイド溝(20)にそれぞれの側のガイド突起(16)を挿入した状態で、両台板(11,11)間に装架され、前記ガイド溝(20)は、上台板(8)と台板(11)との左右方向の相対移動ストロークを規定する内側端(21)及び外側端(22)を備えている、請求項２記載の香炉箱。
【請求項４】
箱(2)の天井面内側に引出式の庇板(31)を備えている、請求項１、２又は３記載の香炉箱。
【発明の詳細な説明】
【技術分野】
【０００１】
この発明は、墓所などに設けられる石製の香炉台本体に嵌装して用いる香炉箱に関するものである。
【背景技術】
【０００２】
墓所の香炉台は石製で、花台と共に墓石の前に設置されている。一般的な香炉台は、台の上面にろうそく立てや線香立てを設けたものであるが、風雨によってろうそくや線香の火が消えるのを防止した香炉台として、石の内部をくり貫いた凹所の底部にろうそく立てや線香受を設置し、更にその前面に両開きの扉を設けたものが提供されている。
【０００３】
しかし、石製の香炉台を正確な寸法にくり貫いてその前面の開口部に扉を設けるという加工は、非常に手間が掛かりかつ熟練を要するという問題がある。そこで、正面の左右両端部に蝶番を介して観音開き式の一対の扉を取り付けたステンレス板製の香炉箱を、石製の香炉台をくり貫いて形成した凹所内に嵌め込み、その香炉箱の底部にろうそくや線香をのせる台板（香炉皿）を出し入れ自在に収納した構造の香炉台が、特許文献１で提案されている。
【０００４】
また特許文献２には、凹所に出し入れ自在な台板（灰皿）を備えた香炉台において、火を付けた線香を入れにくく、また灰の溜った灰皿も取出しにくいなどの問題があることから、灰皿を香炉台と平行を保持した状態で水平に手前側に引出せると共に、灰の溜った灰皿の取外しを容易にする回転引出し構造が提案されている。
【特許文献１】特開平９−２８５４９号公報
【特許文献２】特開２００３−１３８７８７号公報
【発明の開示】
【発明が解決しようとする課題】
【０００５】
上記従来の引き出し可能な灰皿を備えた香炉台は、扉の開閉と灰皿の引出収納とが連動しておらず、また構造も複雑になる問題があった。
【０００６】
この発明は、石製の香炉台本体の凹所に嵌合して用いる扉付の香炉箱において、ろうそくや線香をのせる台板が扉の開閉に伴って自動的に香炉箱から引き出されたり収納されたりする、簡単な構造の香炉箱を提供することを課題としている。
【課題を解決するための手段】
【０００７】
この発明は、石製の香炉台本体３０の前面に設けた凹所ないし貫通孔に嵌装される箱２と、この箱の前縁に枢着された両開き構造の扉４とを備えた香炉箱１において、前記扉のそれぞれの下辺から前記箱側に延びる一体の台板１１と、両側の台板１１上に掛け渡された上台板８と、この上台板上に配置されたろうそく立て６ないし線香立て７とを備え、当該上台板は、前記扉４の開動作によって手前側へ引出され、閉動作によって前記本体内に収納される、嵌め込み装着式の香炉箱１を提供することにより、上記課題を解決したものである。
【０００８】
台板１１は、必ずしも板状のものである必要はなく、棒状や枠状のものでも良い。上台板８は、線香の灰を受けることができるような、板状ないし皿状のものが好ましい。好ましい構造における上記上台板８は、両側の台板１１にそれぞれ前後方向に相対移動不能かつ左右方向に相対移動可能に載置されている。この構造は、例えば台板１１と上台板８とを前後方向のリンクを介して連結する構造や、台板１１と上台板８とを左右方向のガイドを介して連結する構造で、簡単な構造として実現できる。
【０００９】
この発明のもっとも好ましい構造のものは、両側の台板１１の上面にそれぞれ植立された円形のガイド突起１６と、上台板８の底面左右に形成された左右方向のガイド溝２０とを備えた構造である。ガイド溝２０は、凹溝ないし貫通溝として形成される。上台板８は、左右のガイド溝２０にそれぞれの側のガイド突起１６を挿入した状態で、両台板１１、１１間に装架される。ガイド溝２０の内側端２１及び外側端２２は、上台板８と台板１１との左右方向の相対移動ストロークを規定しており、これによって、扉４の全開位置や上台板８の左右へのふれを制限することができる。
【００１０】
上記構造の香炉箱１を装着した香炉台３０は、扉４を開けて上台板８を引出した状態でろうそくや線香を燃焼させることができる。本願の請求項４の発明は、引出された上台板８を覆う引出式の庇板３１を設けたもので、箱２の天井面内側に引出式の庇板３１を備えていることを特徴とする、請求項１、２又は３記載の香炉箱である。
【発明の効果】
【００１１】
この発明の香炉箱１を石材３０の前面に設けた凹所に嵌着して墓所などの香炉台とする。香炉箱の扉４を閉じた状態では、ろうそくや線香か香炉箱１内に収納されているが、扉４を開くと、ろうそくや線香をのせる上台板８が扉４の開動作によって自動的に手前側へ引出され、また閉動作によって自動的に香炉箱１内に収納される。従って、香炉台にろうそくや線香を立てたり火をつけるときには、単に香炉箱の扉４を開くだけで良く、また引き出されたろうそくや線香が開いた扉４の間に位置するので、扉４を開いたまま礼拝するときの見栄えもよい。
【００１２】
また本願の請求項４の発明によれば、降雨時であっても、扉４を開いてろうそくや線香を香炉箱から引出した状態で燃焼させることができるという効果がある。
【発明を実施するための最良の形態】
【００１３】
以下、図面を参照してこの発明の好ましい実施形態の例を説明する。図１は、扉を開いた状態で示す香炉箱の斜視図である。香炉箱１は、ステンレス板製で、両側板、底板、天板及び奥板からなる箱２の前面左右の縦縁に蝶番で扉４を取り付けた構造で、箱２の前面の周縁には外側に広がる周鍔５が形成されている。箱２の中には、ろうそく立て６と線香立て７とを備えた上台板８が収納されている。箱２の奥板の上部には通気孔９が設けられている。
【００１４】
扉４は、図２に示すように、前板１０とその下辺から箱内に延びる扇形の台板１１とを一体に備えた構造で、前板１０はガラス窓１３と上下の通気孔１４とを備えている。前板１０やガラス窓１３のガラスにレリーフ模様や絵柄を設けることにより、種々の美観を付与することができる。
【００１５】
台板１１の上面には、その円弧縁１５近くの略中央位置に、ガイドピン１６が植立されている。扉４の閉位置は、箱２の内側側面に台板１１の奥辺１２が当接することによって規定される。
【００１６】
上台板８は、左右の台板１１上にその両端を載置した状態で掛け渡されている。上台板８の底板には、図３、４に示すように、左右方向両側に左右方向に細長いガイド溝２０が設けられており、左右の台板のガイドピン１６が左右各々のガイド溝２０に挿入された状態で、上台板８が左右の台板１１上に掛け渡されている。
【００１７】
扉４の全開位置は、ガイドピン１６がガイド溝２０の外側端２２に当接する位置で規定される。台板の奥辺１２と箱２の内側側面との当接により規定される扉４の閉位置においては、ガイドピン１６がガイド溝の外側端２２の直近の位置に来るようにする。そして、開閉途中の両側の扉４がほぼ同じ角度で開かれたときの、両側のガイドピン１６が最も接近するときに、ガイドピン１６がガイド溝２０の内側端２１の直近の位置に来るように、ガイドピン１６の植立位置とガイド溝の外側端２２及び内側端２１の位置を決める。これにより、上台板８が扉４の開閉動作に伴って、左右に大きく移動することなく、前後移動する。即ち、両側の扉４を開くことによって、上台板８が手前に平行に引出され、閉じたときに平行に奥側に移動して箱２内に収まる。
【００１８】
上記構造の香炉箱１は、墓所の墓石の前などに設置される石製の香炉台本体３０の前面に設けた凹所ないし貫通孔に、鍔５を香炉台本体の前面に密着させた状態で嵌装され、適宜接着などにより固定される。香炉台本体３０の凹所ないし貫通孔と箱２との隙間は、鍔５で閉鎖される。香炉箱の扉４を開いてろうそくや線香を立てて火をつけ、扉４を閉じると、当該ろうそくや線香は香炉台３０内に収まる。香炉台３０内のろうそくの火は、扉のガラス窓１３を通して見え、線香の煙は扉の通気孔１４及び箱２の奥面に設けた通気孔９を通って流れる。ろうそくや線香は風雨から保護されるので、火が消えることがない。扉４を開いたままにしておけば、ろうそくや線香は引き出された状態で燃焼する。
【００１９】
図７に示すように、箱２の内側天井面に引出式の庇板３１を設けておけば、降雨時にも扉４を開いたままろうそくや線香を燃焼させることができる。庇板３１は、ステンレス板製で、図８に示すように、矩形板の両側縁を下向きに折曲げてスライド鍔３２が形成され、前縁中央部に下向きに折曲げた引手３３が形成されている。箱２の側壁内側上部には、このスライド鍔３２を案内する断面コ字形のスライドレール３４が設けられている。
【００２０】
前記台板のガイドピン１６と上台板のガイド溝の外側端２２との当接により規定される扉４の全開位置は９０度とされ、扉４の内面上部に上記スライドレール３４の内側下面と一致する高さの庇受３５が設けられている。スライドレール３４から引出された庇板３１は、この庇受３５で支持される。
【００２１】
スライド鍔３１の下縁前後端には、スライドレール３４と庇受３５との繋ぎ目を庇板３１が円滑に移動できるように、斜めの案内部３１ａ、３１ｂが形成されている。庇受３５の前端は、上向きに僅かに折曲げて、ストッパ３６が形成されている。このストッパ３６により、庇板３１の引出端が規定される。この引出端において、スライド鍔３１の後端はスライドレール３４の前端に僅かに挿入された状態となっており、そのまま押込むことにより庇板３１をスライドレール３４内に戻すことができる。また引出端で庇板３１の前端を持上げてストッパ３６を乗越えて引出すことにより、庇板３１を取外すことができる。庇板３１が煤などで汚れたときは、庇板３１を取外して清掃することができる。
【００２２】
なお図７の箱２の奥板の通気孔９（図１）には、リング状の鍔３７の内側に金網３８を設けた部品を取付けてあり、不潔になりやすい香炉台背面から虫や汚れが香炉箱１内に侵入するのを防止している。
【００２３】
この発明の香炉箱は、扉４を開けば上台板８が引き出され、更に上記実施例の構造によれば、引き出された上台板８を単に持ち上げることによって、容易に取り外すことができる。従って、ろうそくや線香の燃え滓の除去やろうそく立てや線香立ての清掃が極めて容易である。更に、ろうそく立て６や線香立て７、あるいは上台板８が破損したときに、それらの修理及び交換も極めて容易にでき、また構造も簡単なので、安価に提供でき、ゴミの付着や錆などによる動作不良も避けることができるという特徴がある。
【図面の簡単な説明】
【００２４】
【図１】香炉箱の一実施例を示す斜視図
【図２】扉の内側面を示す斜視図
【図３】上台板を上方から見た斜視図
【図４】閉扉状態の香炉台の断面平面図
【図５】図１の香炉箱を設けた香炉台の一例を開扉状態で示す斜視図
【図６】図５の香炉台の閉扉状態の斜視図
【図７】引出式の庇板を備えた香炉箱の一部を破壊して示す部分斜視図
【図８】図７に示した庇板の側部を下方から見た斜視図
【符号の説明】
【００２５】
４  扉
６  ろうそく立て
７  線香立て
８  上台板
11  台板
16  ガイドピン
20  ガイド溝
21  ガイド溝の外側端
22  ガイド溝の内側端
30  香炉台本体
31  庇板
【図１】
2005240539.tif 000003
【図２】
2005240539.tif 000004
【図３】
2005240539.tif 000005
【図４】
2005240539.tif 000006
【図５】
2005240539.tif 000007
【図６】
2005240539.tif 000008
【図７】
2005240539.tif 000009
【図８】
2005240539.tif 000010